(57)【要約】      （修正有）【課題】部材のアライメント精度を向上させた画像表示パネルおよび画像表示装置を提供する。【解決手段】液晶層側に第１の主面を有する一対の平板状のガラス基板１０と、前記ガラス基板の第１の主面と対向する第２の主面で貼り合せられた一対の平板状の偏光板２０と、を有し、前記ガラス基板１０および前記偏光板２０の少なくともいずれか１つの外形が非矩形状であり、前記ガラス基板が、平面上に、少なくとも１つ以上の第１のアライメントマークを有し、前記偏光板が、平面上に、前記第１のアライメントマークと位置合わせ可能な少なくとも１つ以上の第２のアライメントマークを有し、前記第２のアライメントマークの面積が、前記第１のアライメントマークの面積に対して、２０％以上１００％以下であり、位置を合せられた前記第１のアライメントマークおよび第２のアライメントマークは視認可能であることを特徴とする画像表示パネル１。【選択図】図１
2019168581.tif 000002
【特許請求の範囲】
【請求項１】
第１の主面を有するガラス基板と、
前記ガラス基板の第１の主面とは反対側の主面である第２の主面側に配された板状部材と、を有し、
前記ガラス基板および前記板状部材の少なくともいずれか１つの外形が非矩形状であり、
前記ガラス基板が、平面上に、少なくとも１つ以上の第１のアライメントマークを有し、
前記板状部材が、平面上に、前記第１のアライメントマークと位置合わせ可能な少なくとも１つ以上の第２のアライメントマークを有し、
前記第２のアライメントマークの面積が、前記第１のアライメントマークの面積に対して、２０％以上１００％以下であり、
当該画像表示パネルを正面視した場合に、前記第１のアライメントマークおよび前記第２のアライメントマークは視認可能であることを特徴とする画像表示パネル。
【請求項２】
請求項１に記載の画像表示パネルにおいて、
前記ガラス基板を一対備え、各ガラス基板に偏光板が一対配されており、
一対の前記偏光板が、それぞれ前記第２のアライメントマークを有し、
一方の前記偏光板に設けられた前記第２のアライメントマークが、前記第１のアライメントマークと重なり合い、
他方の前記偏光板に設けられた前記第２のアライメントマークが、前記第１のアライメントマークと重なり合い、かつ、前記一方の偏光板に設けられた第２のアライメントマークと隣合う位置に配され、
前記第２のアライメントマークのそれぞれの面積が、前記第１のアライメントマークの面積に対して、２０％以上５０％以下であることを特徴とする画像表示パネル。
【請求項３】
請求項１または２に記載の画像表示パネルにおいて、
前記第１のアライメントマークは、前記第１の主面上に形成されることを特徴とする画像表示パネル。
【請求項４】
請求項１から３のいずれか１項に記載の画像表示パネルにおいて、
前記画像表示パネルは、さらに、画像表示領域および前記画像表示領域の外周にある画像非表示領域を有し、
前記第１のアライメントマークと、前記第２のアライメントマークと、は、前記画像非表示領域に形成されることを特徴とする画像表示パネル。
【請求項５】
液晶層を挟持し、前記液晶層側に第１の主面を有する一対のガラス基板と、
前記ガラス基板の第１の主面とは反対側の主面である第２の主面側に配された一対の偏光板と、を有する画像表示パネルと、
前記偏光板の前記ガラス基板とは反対側に配される光学部材と、を備え、
前記ガラス基板が、平面上に、少なくとも１つの第１のアライメントマークを有し、
前記偏光板が、平面上に、前記第１のアライメントマークと位置合わせ可能な少なくとも１つの第２のアライメントマークを有し、
前記光学部材が、平面上に、前記第１のアライメントマークおよび第２のアライメントマークと位置合わせ可能な第３のアライメントマークを有し、
前記複数の第２のアライメントマークの面積のそれぞれが、前記第１のアライメントマークの面積に対して、２０％以上１００％以下であり、
当該画像表示装置を正面視した場合に、前記第１のアライメントマーク、前記第２のアライメントマークおよび前記第３のアライメントマークは視認可能であることを特徴とする画像表示装置。
【請求項６】
請求項５に記載の画像表示装置において、
前記第３のアライメントマークの面積が、前記第１のアライメントマークの面積に対して５０％以上１００％以下であることを特徴とする画像表示装置。
【請求項７】
請求項５または６に記載の画像表示装置において、
前記偏光板のうち一方の偏光板に設けられた前記第２のアライメントマークが、前記第１のアライメントマークおよび前記第３のアライメントマークと重なり合い、
前記偏光板のうち他方の偏光板に設けられた前記第２のアライメントマークが、前記第１のアライメントマークおよび前記第３のアライメントマークと重なり合い、かつ、前記一方の偏光板に設けられた第２のアライメントマークと隣合う位置に配されることを特徴とする画像表示装置。
【請求項８】
請求項５から７のいずれか１項に記載の画像表示装置において、
前記第３のアライメントマークの面積が、前記第１のアライメントマークの面積に対して５０％以上１００％以下であり、
前記第２のアライメントマークの面積が、前記第３のアライメントマークの面積に対して、５０％以上１００％以下であり、
前記第１のアライメントマークの面積が、前記第２のアライメントマークおよび第３のアライメントマークの面積と比べて最大となることを特徴とする画像表示装置。
【請求項９】
請求項５から７のいずれか１項に記載の画像表示装置において、
前記第１のアライメントマークと、前記第３のアライメントマークと、が同じ形状であり、かつ、面積が等しいことを特徴とする画像表示装置。
【請求項１０】
請求項５から９のいずれか１項に記載の画像表示装置において、
前記第１のアライメントマークと位置合わせ可能な第４のアライメントマークを有する保護部材が前記画像表示パネルと対面し、
前記光学部材、前記画像表示パネルおよび前記保護部材の順に積層されることを特徴とする画像表示装置。
【請求項１１】
請求項１０に記載の画像表示装置において、
前記ガラス基板は、画像表示領域および前記画像表示領域の外周にある画像非表示領域を有し、
前記第１のアライメントマークと、前記第２のアライメントマークと、前記第３のアライメントマークと、前記第４のアライメントマークと、は、前記画像非表示領域に形成され、当該画像表示装置を正面視した場合に視認できることを特徴とする画像表示装置。
【請求項１２】
請求項１０または１１に記載の画像表示装置において、
前記第４のアライメントマークは、前記保護部材の表面を加工されて形成されることを特徴とする画像表示装置。
【発明の詳細な説明】
【技術分野】
【０００１】
本発明は、画像表示パネルおよび画像表示装置に関するものである。
【背景技術】
【０００２】
従来の画像表示装置に関する画像表示パネルの一例として下記特許文献１に記載されたものが知られている。特許文献１に記載された液晶表示パネルは、液晶表示パネルおよび偏光板のうち少なくともいずれか一方の平面形状が、矩形以外の異形の形状である。液晶表示パネルには第２のアライメントマークが形成され、第２のアライメントマークは、貼り合わせの目印として偏光板に設けられた第１のアライメントマークと位置合わせをして偏光板と貼り合せるための目印となる。
【先行技術文献】
【特許文献】
【０００３】
【特許文献１】国際公開第２００７／１０８２４４号公報
【発明の概要】
【発明が解決しようとする課題】
【０００４】
上記した特許文献１に記載された矩形以外の異形の形状となる液晶表示パネルに対して光を照射するバックライト装置などの部材は、液晶表示パネルと同様に矩形以外の異形の形状となる。液晶表示パネルおよびバックライト装置などの部材の平面形状が矩形以外の異形の形状である場合、四隅、短辺および長辺のような外形の特徴がない。したがって、液晶分子が所定の配向を取り、かつ光源から所望の光が透過するように貼り合せるための目印がない。また、液晶表示パネルおよびバックライト装置などの部材が相似形である場合、平面から見たときに液晶表示パネルおよびバックライト装置などの部材の中心位置がずれるときがある。このため、例えば、液晶表示パネルに対して位置ずれした状態で偏光板が取り付けられると、液晶表示パネルのコントラスト等の表示品位が低下するおそれがあった。
【０００５】
本発明は、上記課題に鑑みてなされたものであり、その目的は、部材のアライメント精度を向上させた画像表示パネルおよび画像表示装置を提供することである。
【課題を解決するための手段】
【０００６】
本発明の画像表示パネルは、第１の主面を有するガラス基板と、前記ガラス基板の第１の主面とは反対側の主面である第２の主面側に配された板状部材と、を有し、前記ガラス基板および前記板状部材の少なくともいずれか１つの外形が非矩形状であり、前記ガラス基板が、平面上に、少なくとも１つ以上の第１のアライメントマークを有し、前記板状部材が、平面上に、前記第１のアライメントマークと位置合わせ可能な少なくとも１つ以上の第２のアライメントマークを有し、前記第２のアライメントマークの面積が、前記第１のアライメントマークの面積に対して、２０％以上１００％以下であり、当該画像表示パネルを正面視した場合に、前記第１のアライメントマークおよび前記第２のアライメントマークは視認可能である。
ここで、ガラス基板のアライメントマークの面積と板状部材のアライメントマークの面積が完全に一致している場合が最もアライメント精度が高く、板状部材のアライメントマークの面積が小さい場合であっても、板状部材のアライメントマークの面積がガラス基板のアライメントマークの面積に対して２０％以上であれば、位置合わせが可能となる。なお、２０％未満の場合は、各アライメントマークを位置合わせした場合でも、第１のアライメントマークの中で第２のアライメントマークが不適格な位置となって、ガラス基板と板状部材の十分な位置合わせができない場合がある。また、画像表示パネルを正面視した場合に、すなわち完成状態の画像表示パネルにおいてアライメントマークを視認可能とすることで、画像表示パネル上において意匠性（アライメントマークに由来する形状の意匠）を持たせることができる。
【発明の効果】
【０００７】
本発明によれば、画像表示パネルおよび画像表示装置の部材を貼り合せる際に、アライメント精度を向上させることができる。
【図面の簡単な説明】
【０００８】
【図１】図１は、本発明の実施形態に係わる画像表示パネルの概略平面図である。
【図２】図２は、図１に示した画像表示パネルのＩ−Ｉ線における断面図である。
【図３】図３は、本発明の実施形態に係わる画像表示パネルの第１のアライメントマークおよび第２のアライメントマークの関係の一例を示す図である。
【図４】図４は、本発明の実施形態に係わる画像表示装置の概略平面図である。
【図５】図５は、図４に示した画像表示装置のＩＩ−ＩＩ線における断面図である。
【図６】図６は、本発明の実施形態に係わる画像表示装置の第１のアライメントマーク、第２のアライメントマークおよび第３のアライメントマークの関係の一例を示す図である。
【図７】図７は、図４に示した画像表示装置のＩＩ−ＩＩ線における断面図の変形例である。
【図８】図８は、本発明の実施形態に係わる第１のアライメントマーク、第２のアライメントマーク、および第３のアライメントマークのバリエーションの一例を示す図である。
【発明を実施するための形態】
【０００９】
＜画像表示パネル＞
以下、図面を参照して本発明の実施形態を説明する。
【００１０】
図１を参照して、本発明の実施形態に係わる画像表示パネルの構成を説明する。画像表示パネル１は、テレビ、携帯電話およびスマートウォッチのようなウェアラブル端末などの携帯用電子機器、ヘッドマウントディスプレイ、ヘッドアップディスプレイ、カーナビゲーションおよびタコメータ等の車載用端末、レーダ探知機等の種々の液晶表示装置に用いることができる。画像表示パネル１は、液晶パネルであって、ガラス基板１０および偏光板２０を備える。ガラス基板１０および偏光板２０は、それぞれアライメントマークを有し、アライメントマークを重ね合わせることで、位置合わせしつつ互いに貼り合せられる。ここで、アライメントマーク３０は、ガラス基板１０のアライメントマークと偏光板２０のアライメントマークとが重なり合った状態を示している。
【００１１】
画像表示パネル１の形状として、ガラス基板１０および偏光板２０の平面形状は円形であるが、非矩形であれば形状は問わない。ガラス基板１０および偏光板２０の平面形状が非矩形である場合、四隅、短辺および長辺のような外形の特徴がない。したがって、液晶分子が所定の配向を取り、かつ光源から所望の光が透過するように貼り合せるための目印がない。また、ガラス基板１０および偏光板２０の平面形状が相似形である場合、平面から見たときにガラス基板１０および偏光板２０の中心位置がずれるときがある。そのため、アライメントマークを目印にしてガラス基板１０および偏光板２０を貼り合せることで、平面から見たときに中心位置のずれおよびガラス基板１０と偏光板２０との回転方向のずれを防止することができる。
【００１２】
図２は、図１の画像表示パネル１のＩ−Ｉ線断面図である。本実施形態に係わる画像表示パネル１は、ガラス基板であるＴＦＴ（Ｔｈｉｎ  Ｆｉｌｍ  Ｔｒａｎｓｉｓｔｏｒ）基板１１およびＣＦ（Ｃｏｌｏｒ  Ｆｉｌｔｅｒ）基板１２の他、ＴＦＴ側偏光板２１、ＣＦ側偏光板２２、液晶層４０、およびシール材５０を備え、さらに図示されない配向膜を備える。
【００１３】
ＴＦＴ基板１１には、さらに図示されないスイッチング素子であるＴＦＴ、画素電極、ソースバスライン、ゲートバスライン、絶縁膜などが形成されている。ＴＦＴ基板１１は第１の主面６０および第２の主面６１を有し、ＴＦＴ基板の第１の主面６０側に配向膜が配置され、配向膜を介してＴＦＴ基板１１は液晶層４０と接する。ＴＦＴ基板１１の第２の主面６１は、液晶層４０とは接しない面であり、第２の主面６１とＴＦＴ側偏光板２１とが接している。第１のアライメントマーク３１は、例えば、ＴＦＴ基板１１上に形成されている絶縁膜または金属膜等を利用して形成されている。
【００１４】
ＣＦ基板１２には、図示されないブラックマトリクス、着色材および透明電極が形成されている。ＣＦ基板１２は第１の主面６０および第２の主面６２を有し、ＣＦ基板の第１の主面６０側に配向膜が配置され、配向膜を介してＣＦ基板１２は液晶層４０と接する。ＣＦ基板１２の第２の主面６２は、液晶層４０とは接しない面であり、第２の主面６２とＣＦ側偏光板２２とが接している。
【００１５】
ＣＦ基板１２の第１の主面６０に形成される第１のアライメントマーク３１は、主にＣＦ基板１２のブラックマトリクス上に形成される。すなわち、ＣＦ基板１２上にブラックマトリクスのパターニングをする時、ブラックマトリクスの形成領域の一部にブラックマトリクスの非形成領域ができるようにパターニングする。パターニングにより形成されたブラックマトリクスの非形成領域がＣＦ基板１２の第１のアライメントマーク３１となる。
【００１６】
ＣＦ基板１２の外周に相当する部位にシール材５０を塗布し、シール材５０により囲まれた空間に液晶層４０を滴下する。ＣＦ基板１２の第１のアライメントマーク３１に相当する位置に形成されたＴＦＴ基板１１の第１のアライメントマーク３１が、ＣＦ基板１２の第１のアライメントマーク３１と重なりあうようにＴＦＴ基板１１とＣＦ基板１２とを貼り合せる。
【００１７】
ＴＦＴ基板側偏光板２１およびＣＦ基板側偏光板２２には、第２のアライメントマーク３２が形成されている。第２のアライメントマーク３２は、ＴＦＴ基板側偏光板２１およびＣＦ基板側偏光板２２にスリットを設ける等を行って、ＴＦＴ基板側偏光板２１およびＣＦ基板側偏光板２２の一部を開口することで形成されている。開口により形成されたＴＦＴ基板側偏光板２１の第２のアライメントマーク３２を、ＴＦＴ基板１１の第１のアライメントマーク３１に重ね合わせることで、ＴＦＴ基板１１とＴＦＴ基板側偏光板２１とを位置合わせしつつ貼り合せることができる。同様にして、ＣＦ基板１２とＣＦ基板側偏光板２２とを貼り合せる。
【００１８】
図３（Ａ）から図３（Ｄ）を用いて、第１のアライメントマーク３１と第２のアライメントマーク３２との関係を説明する。
【００１９】
図３（Ａ）から図３（Ｄ）に示すように、第１のアライメントマーク３１と第２のアライメントマーク３２を重ね合わせる。図３（Ａ）に示すように、第１のアライメントマーク３１の形状および面積が、第２のアライメントマーク３２と等しい場合、第１のアライメントマーク３１の形状の輪郭に沿うように第２のアライメントマーク３２を重ね合わせる。このとき、ＴＦＴ基板側偏光板２１の第２のアライメントマーク３２と、ＣＦ基板側偏光板２２の第２のアライメントマーク３２は一致するように重ねあわせられ、光源からの光が通過しやすくなる。また、光源からの光が、重ね合わせられたアライメントマーク３０をどのように通過するか確認することで、適切にＴＦＴ基板１１、ＣＦ基板１２、ＴＦＴ基板側偏光板２１およびＣＦ基板側偏光板２２が貼り合せられたか判断できる。
【００２０】
図３（Ｂ）から図３（Ｄ）に示すように、第１のアライメントマーク３１の大きさが第２のアライメントマーク３２の大きさと異なる場合、第１のアライメントマーク３１の輪郭内に第２のアライメントマーク３２が配置されるように重ね合わせる。図３（Ｂ）に示すように、第１のアライメントマーク３１の形状および第２のアライメントマーク３２の形状が相似形のとき、第１のアライメントマーク３１の形状の輪郭内に配置されるように、第２のアライメントマーク３２を重ねればよい。
【００２１】
図３（Ｃ）および図３（Ｄ）に示すように、第１のアライメントマーク３１の形状および第２のアライメントマーク３２の形状が非相似形のとき、第２のアライメントマーク３２の形状により重ね方が異なる。図３（Ｃ）および図３（Ｄ）では、ＴＦＴ基板側偏光板２１の第２のアライメントマーク３２（３２１）と、ＣＦ基板側偏光板２２の第２のアライメントマーク３２（３２２）とが、第１のアライメントマーク３１の輪郭内に隣り合うように配置される場合を示している。このとき、隣り合った第２のアライメントマーク３２１，３２２の一部が重なり合ってもよい。
【００２２】
第２のアライメントマーク３２の面積が、第１のアライメントマーク３１の面積以下であることが好ましい。具体的には、図３（Ａ）の配置となる場合においては、第２のアライメントマーク３２の面積が第１のアライメントマーク３１の面積と等しくなる。図３（Ｂ）の配置となる場合においては、第２のアライメントマーク３２の面積が第１のアライメントマーク３１の面積に対して、２０％以上１００％以下、好ましくは５０％１００以下、より好ましくは８５％以上１００％以下である。第１のアライメントマーク３１の面積に対する第２のアライメントマーク３２の面積がこの範囲であるとき、第１のアライメントマーク３１の中心と、第２のアライメントマーク３２の中心と、を重ね合わせることが容易となり、アライメント精度を高めることができる。
【００２３】
図３（Ｃ）および図３（Ｄ）の配置となる場合においては、ＴＦＴ基板側偏光板１２およびＣＦ基板側偏光板２２の第２のアライメントマーク３２のそれぞれの面積が、第１のアライメントマーク３１の面積に対して、２０％以上１００％以下、好ましくは４０％以上８０％以下、より好ましくは４５％以上６０％以下である。第２のアライメントマーク３２の面積がこの範囲であるとき、ＴＦＴ基板側偏光板１２の第２のアライメントマーク３２（３２１）と、ＣＦ基板側偏光板２２の第２のアライメントマーク３２（３２２）とが互いに隣合うように配置されることで、アライメントの精度を高めることができる。このとき、ＴＦＴ基板側偏光板１２の第２のアライメントマーク３２と、ＣＦ基板側偏光板２２の第２のアライメントマーク３２とが、互いに一部重複するように配置されてもよく、重複箇所を確認することで正しくアライメントされているか判断することができる。
【００２４】
ここで、ＴＦＴ基板側偏光板２１、ＣＦ基板側偏光板２２および液晶層４０との関係を説明する。ＴＦＴ基板側偏光板２１およびＣＦ基板側偏光板２２は、互いに特有の透過軸を有し、透過軸が直交するクロスニコルで配置されると、画素電極に電圧が印加されていない時は黒表示となるノーマリブラックモードとなる。一方、液晶層４０では、電圧が印加されると、液晶層４０中の液晶分子の配向が変化する。そのため、電圧が印加される時に、ＴＦＴ基板側偏光板２１およびＣＦ基板側偏光板２２の透過軸と、液晶分子の配向方向とが適切な関係となるように、ＴＦＴ基板側偏光板２１およびＣＦ基板側偏光板２２をそれぞれＴＦＴ基板およびＣＦ基板に貼り合せる必要がある。
【００２５】
本発明の実施形態に係る画像表示パネル１では、ＴＦＴ基板１１およびＣＦ基板１２の第１のアライメントマーク３１と、ＴＦＴ基板側偏光板２１およびＣＦ基板側偏光板２２の第２のアライメントマーク３２とを重ね合わせるように貼り合せられている。そのため、画像表示パネル１を平面から見た時に、ＴＦＴ基板１１、ＣＦ基板１２、ＴＦＴ基板側偏光板２１およびＣＦ基板側偏光板２２の中心位置のずれおよびそれぞれの回転方向にずれが生じることを防ぐことができる。その結果、ＴＦＴ基板側偏光板２１およびＣＦ基板側偏光板２２の透過軸と、液晶層４０中の液晶分子の配向方向とが適切な関係となり、コントラストや色度等の表示品位に優れた画像表示パネルを提供できる。
【００２６】
＜画像表示装置＞
図４を用いて、画像表示装置を説明する。なお、画像表示パネルの説明と重複する箇所は省略する。
【００２７】
図４に示すように、画像表示装置１００は、液晶表示装置であって、ガラス基板１０および偏光板２０を備える画像表示パネル１、光学部材７０および保護部材８０を備える。ガラス基板１０、偏光板２０、光学部材７０および保護部材８０はアライメントマークを有し、アライメントマークを重ね合わせることで、位置合わせしつつ互いに貼り合せられる。ここで、アライメントマーク３０は、画像表示装置１００を構成する各部材が有するアライメントマークが重ね合わせられた状態を示している。画像表示装置１００の形状としては、ガラス基板１０、偏光板２０、光学部材７０および保護部材８０の平面形状は円形であるが、非矩形状であれば形状は問わない。
【００２８】
アライメントマーク３０を有する画像表示パネル１に、さらに光学部材７０および保護部材８０を貼り付けることができる。このとき、アライメントマーク３０に、光学部材７０のアライメントマーク３３を重ね合わせるように、画像表示パネル１、光学部材７０および保護部材８０を貼り合せる。言い換えると、画像表示パネル１のアライメントマーク３０、光学部材７０のアライメントマーク３３は、垂直方向に重なり合う。このようにすることで、平面から見た時の、画像表示パネル１、光学部材７０および保護部材８０の中心位置のずれおよび各部材の回転方向のずれが生じるのを防止することができる。
【００２９】
図５は、図４の画像表示装置１００のＩＩ−ＩＩ線における断面図である。本実施形態に係る画像表示装置１００は、画像表示パネル１、光学部材７０および保護部材８０を備える。画像表示パネル１は、ＴＦＴ基板１１、ＣＦ基板１２、液晶層４０、ＴＦＴ基板側偏光板２１、およびＣＦ基板側偏光板２２から構成される。前述したように、液晶層４０と接する第１の主面６０を備えるＴＦＴ基板１１およびＣＦ基板１２は、第１の主面６０と反対側に備える第２の主面６２で、ＴＦＴ基板側偏光板２１およびＣＦ基板側偏光板２２とそれぞれ接する。このとき、ＴＦＴ基板１１およびＴＦＴ基板側偏光板２１は、ＴＦＴ基板１１の第１のアライメントマーク３１と、ＴＦＴ基板側偏光板２１の第２のアライメントマーク３２と、を重ね合わせることで位置合わせされる。
【００３０】
光学部材７０は、ＴＦＴ基板側偏光板２１の下で、かつ、図示されない光源の上または隣り合う位置に配置され、バックライト装置を構成する。光源としては、ＬＥＤ（Ｌｉｇｈｔ  Ｅｍｉｔｔｉｎｇ  Ｄｉｏｄｅ）またはＥＬ（Ｅｌｅｃｔｒｏ  Ｌｕｍｉｎｅｓｃｅｎｃｅ）等が挙げられ、エッジライト方式または直下型方式で配置されていてもよい。例えば、光学部材７０がエッジライト方式の場合においては、光学部材７０は、図示されない光源からの光を導光しつつ面状の光として出射させる導光板をさらに備える。また、導光板に対して表側に重なるように配置され、導光板から出射した光に集光作用または拡散作用等を付与する光学シート等を備える。光学シートとしては、集光作用が特定の方向に限定されるプリズムシートを含む集光作用を付与する集光シート、または光学作用として拡散作用を発揮する拡散シート等が挙げられる。なお、直下型の場合では、一般的に導光板を有さない構成である。したがって、光源の配置にしたがい光学部材７０は適宜選択することができる。
【００３１】
光学部材７０は、スリット等を設けることで光学部材７０の一部を開口させて形成される第３のアライメントマーク３３を有する。光学部材７０に形成された第３のアライメントマーク３３と、ＴＦＴ基板側偏光板２１の第２のアライメントマーク３２と、を重ね合わせることで画像表示パネル１と位置合わせされる。このとき、画像表示パネル１のアライメントマーク３０および光学部材の第３のアライメントマーク３３が重なり合う。このように画像表示パネル１と光学部材７０とを貼り合せることで、平面から見た時に、互いの中心位置のずれおよびそれぞれの回転方向にずれが生じることを防ぐことができる。
【００３２】
保護部材８０は、例えばカバーガラスであり、ＣＦ基板側偏光板２２上に配置され、画像表示装置１００の最表面に位置し、画像表示装置１００を構成する各部材を外部からの衝撃等から保護する。
【００３３】
図６（Ａ）から図６（Ｄ）を用いて、第１のアライメントマーク、第２のアライメントマーク、第３のアライメントマークの関係を説明する。
【００３４】
図６（Ａ）に示すように、第１のアライメントマーク３１、第２のアライメントマーク３２および第３のアライメントマーク３３の形状および面積が等しい場合、画像表示パネル１のアライメントマーク３０の輪郭に沿って光学部材７０の第３のアライメントマーク３３を重ね合わせる。このとき、画像表示パネル１のアライメントマーク３０に第３のアライメントマーク３３が一致するように重ね合わせられ、光源からの光が通過しやすくなる。また、光源からの光が、画像表示パネル１と光学部材７０とが貼り合せられた状態であるアライメントマーク３０をどのように通過するか確認することで、画像表示パネル１と光学部材７０が適切に貼り合せられたか判断できる。すなわち、画像表示パネル１のアライメントマーク３０と光学部材７０の第３のアライメントマーク３３が、ずれている場合、画像表示パネル１および光学部材７０の中心位置がずれている、またはそれぞれの回転方向にずれが生じていることが分かる。
【００３５】
図６（Ｂ）は、第１のアライメントマーク３１および第３のアライメントマーク３３の形状および面積が等しく、第２のアライメントマーク３２の面積が最小である場合を示している。このとき、第１のアライメントマーク３１および第３のアライメントマーク３３は一致するように配置される。しかしながら、第２のアライメントマーク３２は、第１のアライメントマーク３１および第３のアライメントマーク３３の輪郭内に配置されればよく、第１のアライメントマークおよび第３のアライメントマーク３３と一致しない。
【００３６】
図６（Ｃ）は、第２のアライメントマーク３２および第３のアライメントマーク３３の形状および面積が等しく、第１のアライメントマーク３１の面積が最大である場合を示している。このとき、画像表示パネル１を形成する際に、第１のアライメントマーク３１の形状の輪郭内に第２のアライメントマーク３２が配置されるように形成される。次いで、画像表示パネル１のＴＦＴ側偏光板２２に光学部材７０を貼り合せる際に、ＴＦＴ側偏光板２２の第２のアライメントマーク３２の形状の輪郭に沿って、光学部材７０の第３のアライメントマーク３３を重ね合わせる。このようにすることで、最も面積が大きい第１のアライメントマーク３１の輪郭内に第２のアライメントマーク３２および第３のアライメントマーク３３が配置される。
【００３７】
図６（Ｄ）は、第１のアライメントマーク３１および第３のアライメントマーク３３は互いに相似形で、第２のアライメントマーク３２は、第１のアライメントマーク３１および第３のアライメントマーク３３とは非相似形であり、かつ、第１のアライメントマーク３１の面積が最大である場合を示している。
【００３８】
図６（Ｄ）に示すように、第１のアライメントマーク３１の形状の輪郭内に、第２のアライメントマーク３２および第３のアライメントマーク３３が配置されている。前述したように、画像表示パネル１は、シール材５０を介して液晶層４０を第１の主面６０で挟持するＴＦＴ基板１１およびＣＦ基板１２に対して、第１の主面６０とは対向する面にＴＦＴ基板側偏光板２１およびＣＦ基板側偏光板２２を貼り合せられている。このとき、第１の主面６０上に形成された第１のアライメントマーク３１と、ＴＦＴ基板側偏光板２１およびＣＦ基板側偏光板２２の第２のアライメントマーク３２と、を重ね合わせるように、一対の基板１１，１２と、一対の偏光板２１，２２とをそれぞれ貼り合せる。このとき、ＴＦＴ基板側偏光板２１の第２のアライメントマーク３２（３２１）と、ＣＦ基板側偏光板２１の第２のアライメントマーク３２（３２２）は、第１のアライメントマーク３１の輪郭に沿って、互いに隣合うように配置される。このようにして形成された画像表示パネル１に、第３のアライメントマーク３３を有する光学部材７０を貼り付ける。第３のアライメントマーク３３は、第１のアライメントマーク３１の輪郭内に配置された２つの第２のアライメントマーク３２（３２１，３２２）の輪郭に沿って重ね合わせられる。このようにすることで、第１のアライメントマーク３１の輪郭内に第２のアライメントマーク３２（３２１，３２２）および第３のアライメントマーク３３が配置され、平面方向に対する垂直方向（ガラス基板に対して平面視）で、第１のアライメントマーク３１から第３のアライメントマーク３３までが重なり合った状態のアライメントマーク３０が形成される。
【００３９】
第２のアライメントマーク３２の面積が、第１のアライメントマーク３１および第３のアライメントマーク３３の面積以下であることが好ましい。具体的には、図６（Ａ）の配置となる場合においては、第２のアライメントマーク３２の面積が第１のアライメントマーク３１および第３のアライメントマーク３３の面積と等しくなる。図６（Ｂ）の配置となる場合においては、第２のアライメントマーク３２の面積が第１のアライメントマーク３１および第３のアライメントマーク３３の面積に対して、２０％以上１００％以下、好ましくは５０％１００以下、より好ましくは８５％以上１００％以下である。第１のアライメントマーク３１の面積に対する第２のアライメントマーク３２の面積がこの範囲であるとき、第１のアライメントマーク３１および第３のアライメントマーク３３の中心と、第２のアライメントマーク３２の中心と、を重ね合わせることが容易となり、アライメント精度を高めることができる。
【００４０】
図６（Ｃ）の配置となる場合においては、第２のアライメントマーク３２および第３のアライメントマーク３３の面積が、第１のアライメントマーク３１の面積に対して、２０％以上１００％以下、好ましくは５０％以上１００％以下、より好ましくは８５％以上１００％以下である。第２のアライメントマーク３２および第３のアライメントマーク３３の面積がこの範囲であるとき、第１のアライメントマーク３１の中心と、第２のアライメントマーク３２および第３のアライメントマーク３３の中心と、を重ねあわせることが容易となり、アライメント精度を高めることができる。
【００４１】
図６（Ｄ）の配置となる場合は、ＴＦＴ基板側偏光板２１およびＣＦ基板側偏光板２２の第２のアライメントマーク３２（３２１，３２２）の面積と、第３のアライメントマーク３３の面積が等しい。ＴＦＴ基板側偏光板２１およびＣＦ基板側偏光板２２の第２のアライメントマーク３２（３２１，３２２）のそれぞれの面積が、第１のアライメントマーク３１の面積に対して、２０％以上１００％以下、好ましくは４０％以上８０％以下、より好ましくは４５％以上６０％以下である。第２のアライメントマーク３２の面積がこの範囲であるとき、ＴＦＴ基板側偏光板２１の第２のアライメントマーク３２１と、ＣＦ基板側偏光板２２の第２のアライメントマーク３２２と、互いに隣合うように配置されることで、アライメントの精度を高めることができる。このとき、ＴＦＴ基板側偏光板２１の第２のアライメントマーク３２１と、ＣＦ基板側偏光板２２の第２のアライメントマーク３２２とが、互いに一部重複するように配置されてもよく、重複箇所を確認することで正しくアライメントされているか判断することができる。また、正しくアライメントされたＴＦＴ基板側偏光板２１の第２のアライメントマーク３２１の中心と、第３のアライメントマーク３３の中心と、を重ね合わせることで、第１のアライメントマーク３１、第２のアライメントマーク３２および第３のアライメントマーク３３は、正確に重ね合わせられる。
【００４２】
図７は、図４の画像表示装置のＩＩ−ＩＩ線における断面図の変形例である。図７を参照して本実施形態に係る画像表示装置１００を説明するが、図５の断面図に対する説明と重複する説明は省略する。図７に示すように、画像表示装置１００の保護部材８０は、第４のアライメントマーク３４を有していても良く、第４のアライメントマーク３４は、表面粗さを変える、塗料等で着色する等により設けられる。この場合、第４のアライメントマーク３４が、第１のアライメントマーク３１、第２のアライメントマーク３２および第３のアライメントマーク３３と重なり合うように、保護部材８０はＣＦ基板側偏光板２２と貼り合せられる。第４のアライメントマーク３４の形状は、第１のアライメントマーク３１、第２のアライメントマーク３２、および第３のアライメントマーク３３と等しくても異なっていてもよい。また、第４のアライメントマーク３４の面積は、第１のアライメントマーク３１、第２のアライメントマーク３２および第３のアライメントマーク３３の面積と等しくても異なっていても良い。
【００４３】
図８を参照して、アライメントマークのバリエーションを説明する。
【００４４】
図８に示すように、第１のアライメントマーク３１、第２のアライメントマーク３２および第３のアライメントマーク３３の形状および面積の大きさは、種々の形状を取ることができ、前述した矩形に限定されない。すなわち、第１のアライメントマーク３１と、第２のアライメントマーク３２、第３のアライメントマーク３３および第４のアライメントマーク３４の形状は、それぞれ同じでも異なっていてもよく、適宜選択できる。第１のアライメントマーク３１、第２のアライメントマーク３２、第３のアライメントマーク３３および第４のアライメントマーク３４の形状としては、例えば、三角形、四角形および五角形のような多角形等、円形または楕円形等、算用数字またはローマ数字のような数字等、ギリシャ文字またはアルファベットのような文字等、矢印、十字または星形のような記号等およびこれらの組合せが挙げられる。第１のアライメントマーク３１、第２のアライメントマーク３２、第３のアライメントマーク３３および第４のアライメントマーク３４の面積としては、第１のアライメントマーク３１の面積が最大となっていることが好ましい。第１のアライメントマーク３１の面積が最大であるとき、第１のアライメントマーク３１、第２のアライメントマーク３２、第３のアライメントマーク３３および第４のアライメントマーク３４を重ね合わせることが容易となり、適切に各部材を貼り合せることが可能となる。その結果、平面から見たときに各部材の中心位置および回転方向のずれを防止することができ、コントラストや色度等の表示品位に優れた画像表示装置を提供できる。
【００４５】
図８（Ａ）は、矢印形状の第１のアライメントマーク３１と、第１のアライメントマーク３１の長方形状部分の内側に収まるとともに平面視で互いに隣合う位置となる長方形状の第２のアライメントマーク３２および第３のアライメントマーク３３と、第１のアライメントマーク３１の三角形状部分の内側に収まる三角形状の第４のアライメントマーク３４と、を備えるアライメントマークの一例である。この場合、画像表示装置１００を正面視した場合に、矢印形状のアライメントマークを意匠として認識することができる。
【００４６】
図８（Ｂ）は、三角形状の第１のアライメントマーク３１と、第１のアライメントマーク３１の内側に収まるとともに第１のアライメントマーク３１と相似形の第４のアライメントマーク３４と、第１のアライメントマーク３１の内側に収まるとともに平面視で隣合う位置となる三角形状の第２のアライメントマーク３２および第３のアライメントマーク３３と、を備えるアライメントマークの一例である。ここで、第２のアライメントマーク３２および第３のアライメントマーク３３を組み合わせてできる三角形が第４のアライメントマーク３４と同一形状となり、重なり合うものとなっている。この場合、画像表示装置１００を正面視した場合に、三角形状のアライメントマークを意匠として認識することができる。
【００４７】
図８（Ｃ）は、円形状の第１のアライメントマーク３１と、第１のアライメントマーク３１の内側に収まるとともに第１のアライメントマーク３１と相似形の第４のアライメントマーク３４と、第１のアライメントマーク３１の内側に収まるとともに平面視で隣合う位置となる半円形状の第２のアライメントマーク３２および第３のアライメントマーク３３と、を備えるアライメントマークの一例である。ここで、第２のアライメントマーク３２および第３のアライメントマーク３３を組み合わせてできる円形が第４のアライメントマーク３４と同一形状となり、重なり合うものとなっている。この場合、画像表示装置１００を正面視した場合に、丸形状のアライメントマークを意匠として認識することができる。
【００４８】
図８（Ｄ）は、円形状の第１のアライメントマーク３１と、第１のアライメントマーク３１の内側に収まるとともに第１のアライメントマーク３１と同一形状の第４のアライメントマーク３４と、第１のアライメントマーク３１の内側に収まるとともに平面視で隣合う位置となるよう配され、数字の「１」を象った第２のアライメントマーク３２および数字の「２」を象った第３のアライメントマーク３３と、を備えるアライメントマークの一例である。ここで、第２のアライメントマーク３２および第３のアライメントマーク３３を組み合わせてできる数字「１２」が、第１のアライメントマーク３１と第４のアライメントマーク３４の重ね合わせにより構成される円形の中に配されるものとなっている。この場合、画像表示装置１００を正面視した場合に、丸形状の中に数字を含んだアライメントマークを意匠として認識することができる。
【００４９】
本実施形態に係る画像表示装置１００において、アライメントマーク３０は、第１のアライメントマーク３１、第２のアライメントマーク３２、第３のアライメントマーク３３および第４のアライメントマーク３４が重ね合わされた状態を示している（図４参照）。すなわち、図７に示されるように、第１のアライメントマーク３１、第２のアライメントマーク３２、第３のアライメントマーク３３、および第４のアライメントマーク３４は、垂直方向に重なりあう。つまり、第１のアライメントマーク３１、第２のアライメントマーク３２、第３のアライメントマーク３３、および第４のアライメントマーク３４は、それぞれ互いに同一平面上に形成されない。このとき、図４および図７に示されるように、正面から画像表示装置１００を見た時に、少なくとも１つ以上の重ね合わされたアライメントマーク３０が、保護部材８０の同一平面上に存在していることを確認できる。この重ね合わされたアライメントマークに特定の意匠形状が付与されている場合は、１つのアライメントマーク３０の特定形状を視認することで、画像表示装置１００を構成する画像表示パネル１、光学部材７０および保護部材８０が正確に貼り合せられていると確認できる。また、保護部材８０の同一平面上に、アライメントマーク３０が２つ以上存在するときは、そのアライメントマーク３０の形状にかかわらず、画像表示装置１００を構成する画像表示パネル１、光学部材７０および保護部材８０が正確に貼り合せられていると確認できる。アライメントマーク３０の数は適宜選択できるが、少なくとも１つ以上が好ましく、より好ましくは２つ以上であり、さらに好ましくは３つ以上である。アライメントマーク３０の個数がこの範囲であるとき、ＴＦＴ基板側偏光板２１およびＣＦ基板側偏光板２２の透過軸と、液晶層４０中の液晶分子の配向方向とが適切な関係となり、コントラストや色度等の表示品位に優れた画像表示パネルを提供できる。また、画像表示装置１００を平面から見た時、画像表示パネル１、光学部材７０および保護部材８０の中心位置のずれ、およびそれぞれの回転方向のずれが発生することを防ぐことができる。また、アライメントマーク３０の大きさは、アライメントマーク３０の個数に応じて適宜選択できるが、保護部材８０の最表面の面積に対して１０％以上２５％以下であるとき、意匠性に優れたアライメントマーク３０とすることができる。
【００５０】
第１のアライメントマーク３１、第２のアライメントマーク３２、第３のアライメントマーク３３および第４のアライメントマーク３４が重なり合った状態であるアライメントマーク３０は、画像表示装置１００の非表示領域に形成されることが好ましい。非表示領域では、ＣＦ基板１２上に形成されるブラックマトリクスがベタ状に形成されるので、ＴＦＴ基板１１およびＣＦ基板１２に設けられる第１のアライメントマークを形成することが容易である。また、非表示領域にアライメントマーク３０が形成されることで、光源から光学部材７０に入射される光に起因する干渉縞または輝度ムラ等の発生を防止することができ、表示品位に優れた画像表示装置を提供できる。
【００５１】
＜その他の実施形態＞
本発明は上記記述および図面によって説明した実施形態に限定されるものではなく、例えば次のような実施形態も本発明の技術的範囲に含まれる。
（１）上記した各実施形態では、偏光板に設けた開口が第２のアライメントマーク３２とされる場合を示したが、偏光板に第２のアライメントマーク３２として着色部、凹部、凸部などを設けるようにしても構わない。
（２）上記した各実施形態では、バックライト装置を構成する光学部材に設けた開口がアライメントマークとされる場合を示したが、光学部材にアライメントマークとして着色部、凹部、凸部などを設けるようにしても構わない。
（３）上記した各実施形態では、画像表示パネルに対して偏光板に加えてバックライト装置を構成する光学部材や保護部材を取り付ける場合について例示したが、例えば部材としてタッチパネルを画像表示パネルに取り付ける場合にも適用可能である。その場合は、タッチパネルに、画像表示パネルと位置合わせ可能なタッチパネルアライメントマークを設けるようにすればよい。
（４）上記した各実施形態では、液晶パネル、偏光板、バックライト装置を構成する光学部材および保護パネルの各外形がいずれも円形状とされる場合を示したが、それ以外にも、例えば液晶パネル、偏光板、バックライト装置および保護パネルの各外形がいずれも楕円形状であっても構わない。
（５）上記した各実施形態以外にも、偏光板、バックライト装置および保護パネルの各外形がいずれも非矩形状とされるのに対し、液晶パネルの外形が矩形状とされていても構わない。その逆に、液晶パネルの外形が非矩形状とされるのに対し、偏光板、バックライト装置および保護部材の各外形がいずれも矩形状とされていても構わない。また、偏光板、光学部材および保護部材のうちのいずれかが非矩形状とされ、残りが矩形状とされていても構わない。
（６）上記した各実施形態では、一対の偏光板がクロスニコル配置とされるノーマリブラックモードの液晶パネルを例示したが、一対の偏光板がパラレルニコル配置とされるノーマリホワイトモードの液晶パネルにも本発明は適用可能である。
（７）上記した各実施形態では、ウェアラブル端末に用いる液晶表示装置を示したが、ヘッドマウントディスプレイやヘッドアップディスプレイなどに用いる液晶表示装置であってもよい。それ以外にも、車載型端末（カーナビゲーションシステム）に用いる液晶表示装置やレーダ探知機に用いる液晶表示装置や自動車などのメータ表示に用いる液晶表示装置であっても構わない。
（８）上記した各実施形態では、画像表示パネルとして液晶パネルを、画像表示装置として液晶表示装置を示したが、例えば画像表示パネルとしての有機ＥＬパネル、画像表示装置としての有機ＥＬ表示装置に対して本発明を適用することもできる。具体的には、有機ＥＬパネルを構成するガラス基板に対して、板状部材としてのタッチパネル等を位置合わせする際に本発明の構成を適用することができる。
【符号の説明】
【００５２】
１          画像表示パネル
１０        ガラス基板
２０        偏光板
３０        アライメントマーク
３１        第１のアライメントマーク
３２        第２のアライメントマーク
３３        第３のアライメントマーク
４０        液晶層
７０        光学部材
８０        保護部材
１００      画像表示装置
【図１】
2019168581.tif 000003
【図２】
2019168581.tif 000004
【図３】
2019168581.tif 000005
【図４】
2019168581.tif 000006
【図５】
2019168581.tif 000007
【図６】
2019168581.tif 000008
【図７】
2019168581.tif 000009
【図８】
2019168581.tif 000010